(57)【要約】【課題】高性能のＣＰＵや容量の大きな不揮発メモリ等を要することなく、リモコン装置での曲情報の検索を可能とする。【解決手段】カラオケ装置本体と、カラオケ装置本体に選曲情報を入力するリモコン装置とを有してなるカラオケシステムである。カラオケ装置本体は、早見本機能情報を保存するメモリを備え、曲検索時には、リモコン装置から曲検索条件をカラオケ装置本体に送信し、カラオケ装置本体は受信した曲検索条件に該当する曲情報をメモリに保存された早見本情報から読み出しリモコン装置に返送する。新譜情報等の曲情報（早見本機能情報）をカラオケ装置本体に保存し、曲検索条件に該当する曲情報を通信によりリモコン装置に取り込むようにしているので、リモコン装置には、高性能なＣＰＵや容量の大きな不揮発メモリは不要である。【選択図】  図２
2004252077.tif 000002
【特許請求の範囲】
【請求項１】
カラオケ装置本体と、カラオケ装置本体に選曲情報を入力するリモコン装置とを有してなるカラオケシステムにおいて、
前記カラオケ装置本体は、早見本機能情報を保存するメモリを備え、
曲検索時には、前記リモコン装置は曲検索条件をカラオケ装置本体に送信し、カラオケ装置本体は受信した曲検索条件に該当する曲情報を前記メモリに保存された早見本情報から読み出しリモコン装置に返送することを特徴とするカラオケシステム。
【請求項２】
前記リモコン装置は、カラオケ装置本体から返送された曲情報を表示する表示部を有することを特徴とする請求項１記載のカラオケシステム。
【請求項３】
前記リモコン装置とカラオケ装置本体間の通信は、電波または赤外線による無線通信により行われることを特徴とする請求項１記載のカラオケシステム。
【請求項４】
前記カラオケ装置本体の早見本機能情報を保存するメモリは、揮発性メモリであることを特徴とする請求項１記載のカラオケシステム。
【請求項５】
前記リモコン装置を複数有し、カラオケ装置本体はこれら複数のリモコン装置から同時送信された場合のデータルーティング処理機能を有することを特徴とする請求項１記載のカラオケシステム。
【発明の詳細な説明】
【０００１】
【発明の属する技術分野】
本発明は、業務用あるいは家庭用のカラオケシステムに関するものであり、特に、リモコン装置での曲情報の検索が可能なカラオケシステムに関する。
【０００２】
【従来の技術】
歌謡曲等の伴奏に基づくオーディオデータと、その曲の歌詞を示すテキストデータを含むビデオデータとが記録された記録媒体からオーディオ情報及びビデオ情報を再生するカラオケ装置が知られている。近年では、記録媒体を内蔵せず、通信回線を介して、ホストコンピュータに記録された大量のデータからユーザが指定した曲に関するデータを受信し、オーディオ／ビデオ情報を再生するいわゆる通信カラオケが主流となっている。
【０００３】
通常、カラオケ装置本体には、マイクロフォン、スピーカ、モニタ装置等が接続される。カラオケ装置本体が再生したオーディオ情報は、スピーカから出力され、ユーザはスピーカから出力される伴奏を聴きながらマイクロフォンに向かって歌唱する。ユーザの歌声は、マイクロフォンによりオーディオ信号に変換されてカラオケ装置に入力される。カラオケ装置本体はこのユーザの歌声に基づく信号と伴奏を示すオーディオ信号とを混合してスピーカに出力する。
【０００４】
また、モニタ装置には、曲の雰囲気に合わせた映像とともに、曲の歌詞を示すテキストが表示される。このテキストは、曲の進行に同期して切り換えられる。ユーザは、モニタ装置に表示されるテキストにより歌詞を確認しながら歌を歌うことができる。
【０００５】
【特許文献１】
特開２０００−９９０４８号公報
【０００６】
【発明が解決しようとする課題】
ところで、業務用または家庭用カラオケシステムの選曲は、予め曲名、その番号が掲載された早見本（いわゆる歌本）で歌いたい曲の番号を探し、リモコン装置付随のテンキー等で曲番号を入力し、それを赤外線等による無線通信にてカラオケ装置本体に転送、予約するという方式が広く採用されている。
【０００７】
しかしながら、昨今の通信カラオケの普及により、配信される曲数は非常に多くなってきており、歌本の厚さが厚くなって選曲が煩わしいものとなっている。そこで、リモコン装置自体に新譜データ等の曲情報を保存し、これをリモコン装置の表示部に表示させて検索する方式の電子目次端末が開発されている。この電子目次端末は、曲情報を内蔵したリモコン装置であり、操作が簡単で分厚い歌本も必要なくなる。
【０００８】
ただし、操作が簡単になる反面、情報検索のために性能の高いＣＰＵが必要になること、容量が大きな不揮発メモリが必要になること、新譜情報更新のための専用アダプタ（クレードル）が必要になること等のデメリットもあり、リモコン装置のコスト上昇の原因になっている。
【０００９】
本発明は、このような従来のものの有する欠点を解消することを目的に提案されたものであり、リモコン装置で曲情報の検索を行うことができ、しかも高性能のＣＰＵや容量の大きな不揮発メモリが不要な新規なカラオケシステムを提供することを目的とする。
【００１０】
【課題を解決するための手段】
上述の目的を達成するために、本発明のカラオケシステムは、カラオケ装置本体と、カラオケ装置本体に選曲情報を入力するリモコン装置とを有してなるカラオケシステムにおいて、前記カラオケ装置本体は、早見本機能情報を保存するメモリを備え、曲検索時には、前記リモコン装置は曲検索条件をカラオケ装置本体に送信し、カラオケ装置本体は受信した曲検索条件に該当する曲情報を前記メモリに保存された早見本情報から読み出しリモコン装置に返送することを特徴とするものである。
【００１１】
本発明のカラオケシステムでは、新譜情報等の曲情報（早見本機能情報）をカラオケ装置本体に保存し、曲検索条件に該当する曲情報を通信によりリモコン装置に取り込むようにしている。したがって、リモコン装置には、高性能なＣＰＵや容量の大きな不揮発メモリは不要である。また、カラオケ装置本体は、受信した曲検索条件に該当する曲情報をカラオケ装置本体のメモリに保存された早見本情報から読み出し、直ちにリモコン装置に返送するので、あたかもリモコン装置自体に曲情報が保存されているかのように選曲し表示することが可能であり、歌本を用いた煩雑な選曲から開放される。
【００１２】
【発明の実施の形態】
以下、本発明を適用したカラオケシステムについて、図面を参照しながら詳細に説明する。
【００１３】
図１は、本発明を適用したカラオケシステムの基本構成を示すものであり、このカラオケシステムは、カラオケ装置本体１とリモコン装置２とから構成されている。
【００１４】
カラオケ装置本体１には、図示は省略するが、マウントディスプレイやマイクロフォン、スピーカ等が接続されており、ユーザが選曲した曲の伴奏と、この伴奏に合わせてユーザが歌う歌とがスピーカから出力される。
【００１５】
カラオケ装置本体１は、曲データ（オーディオデータ及びビデオデータ）が記録された記録媒体を備えている。あるいは、カラオケ装置本体１自体が記録媒体を備えるのではなく、通信回線を介して外部のホスト端末からオーディオデータ及びビデオデータを受信するような構成としてもよい。
【００１６】
一方、リモコン装置２は、選曲のための操作ボタン２ａや、液晶ディスプレイ等、曲情報等を表示する表示部２ｂを有し、ユーザは、このリモコン装置２を選曲のためのリモコン装置としてのみならず、新譜情報等の曲情報（早見本機能情報）を検索して前記表示部に表示させ、電子目次端末としても利用することができる。
【００１７】
すなわち、図２に示すように、カラオケ装置本体１及びリモコン装置２は、それぞれ通信部３、及び通信部４を備えており、これら通信部３，４間でデータの授受が可能である。通信部３，４の通信手段としては、電波または赤外線による無線通信が好適であるが、有線による通信であってもよい。有線通信とすることにより無線通信とした場合よりもコストを下げることができるが、使い易さの点では無線通信が優る。
【００１８】
カラオケ装置本体１は、前記通信部３の他、新譜情報等の曲情報（早見本機能情報）を保存するメモリ５を内蔵している。メモリ５としては、揮発性メモリが用いられているが、不揮発性メモリを用いても良い。
【００１９】
曲検索の際には、リモコン装置２をキー操作し、リモコン装置２の通信部４からカラオケ装置本体１の通信部３へ検索条件を送信する。カラオケ装置本体１は、受信した検索条件に合致する曲情報を内蔵したメモリ５から探し出す。そして、探し出した曲情報を再び通信部３、４を介してリモコン装置２に返送する。
【００２０】
返送された曲情報は、リモコン装置２の表示部２ｂに表示され、ユーザはリモコン装置２を新譜情報等の曲情報（早見本機能情報）を検索するための電子目次端末として利用することができる。
【００２１】
このような構成を有するカラオケシステムでは、曲情報の保存及び検索は、カラオケ装置本体１側で行うので、リモコン装置２に検索のための高機能、高性能で高価なＣＰＵが不要である。また、例えば１０万曲を越えるような膨大な曲情報を保存するための容量の大きな不揮発性メモリもリモコン装置２には不要である。
【００２２】
また、新譜情報等のデータのアップデートは、いわゆる通信カラオケの場合、カラオケ装置本体１で実施すればよく、ホスト６から随時内蔵するメモリ５に更新データを保存するようにすればよい。これにより、リモコン装置２側での曲情報更新機能は不要となる。
【００２３】
なお、リモコン装置２は、１台のカラオケ装置本体１に対して、複数用意することも可能である。この場合には、カラオケ装置本体１は、複数台のリモコン装置２から同時送信された場合のデータルーティング処理機能を有することが好ましい。
【００２４】
曲の選曲及び演奏は、通常のカラオケ装置と同様であり、ユーザが所望の曲を選曲すると、カラオケ装置１に内蔵される読出部が、ユーザが選曲した曲のオーディオデータ及びビデオデータを読み出す。さらに、読み出したビデオデータをビデオ信号再生部に供給する。ビデオ信号再生部は、このビデオデータからビデオ信号を再生し、再生したビデオ信号をビデオ信号出力端子に供給する。このビデオ信号には、曲の歌詞を示すテキストが含まれている。
【００２５】
また、読出部は、読み出したオーディオデータをオーディオ信号再生部に供給する。オーディオ信号再生部は、供給されたオーディオデータに基づいてオーディオ信号を再生し、再生したオーディオ信号をミキサに供給する。このオーディオ信号は、ユーザが選曲した曲の伴奏に対応する信号である。ミキサは、音声信号入力端子を介してマイクロフォンにも接続されており、このマイクロフォンに入力された音声に基づく音声信号とオーディオ信号再生部が再生したオーディオ信号を混合し、混合して得られたオーディオ信号を増幅器に供給する。増幅器は、ミキサから供給されたオーディオ信号を増幅し、増幅したオーディオ信号をオーディオ信号出力端子に供給する。オーディオ信号出力端子は、増幅されたオーディオ信号をスピーカに出力する。
【００２６】
【発明の効果】
以上の説明からも明らかなように、本発明によれば、リモコン装置を電子目次端末として利用して曲情報の検索を行うことができ、しかもリモコン装置には高性能のＣＰＵや容量の大きな不揮発メモリが不要である。
【図面の簡単な説明】
【図１】本発明を適用したカラオケシステムの基本構成を示す模式図である。
【図２】リモコン装置とカラオケ装置本体間の通信手段の構成を示す図である。
【符号の説明】
１          カラオケ装置本体
２          リモコン装置
３，４    通信部
５          メモリ
【図１】
2004252077.tif 000003
【図２】
2004252077.tif 000004